(57)【特許請求の範囲】
【請求項１】
操作レバーと、該操作レバーを揺動自在に枢支する第１部材と、該第１部材に相対回転自在に連結された第２部材と、該第２部材に前記相対回転方向に沿って互いに離隔して設けられた複数の係合部と、前記操作レバーに設けられ、前記操作レバーの一方向への揺動により前記係合部を係止する係止部と、前記操作レバーを前記一方向へ付勢するスプリングとを備え、前記操作レバーを前記スプリングの付勢力に抗して揺動操作することによって前記係止部の前記係合部への係止を解除し、前記第１及び第２部材の相対回転を許容すべくなしてある回転台であって、前記操作レバーは、前記第１部材又は操作レバーの何れかに穿設された長孔を介して、その揺動軸を軸長方向と交叉する方向への移動自在に支持されていることを特徴とする回転台。
【請求項２】
前記長孔は、前記操作レバーの長手方向に沿って穿設されている請求項１記載の回転台。
【請求項３】
前記係止部が前記係合部を係止している状態における前記軸長方向と交叉する方向への前記操作レバーの移動を拘束する拘束部を前記第１部材に設けてある請求項１又は２記載の回転台。
【請求項４】
前記軸長方向と交叉する方向へ移動された前記操作レバーを、前記係止部の前記係合部への係止が解除された状態に保持する保持部を前記第１部材に設けてある請求項１乃至３の何れかに記載の回転台。
【請求項５】
前記操作レバーは、その中途部を前記第１部材に枢支されており、前記係止部をその一端部に備えている請求項１乃至４の何れかに記載の回転台。
【請求項６】
前記第２部材は、金属板を用いてなり、その周縁の近傍に前記第１部材の側とは反対側へ突出して成形され、その突出部に回転対象物又は固定面への取付孔を有する複数の取付座を備える請求項１乃至５の何れかに記載の回転台。
【請求項７】
前記係合部は、前記第２部材の周縁の前記取付座間に切欠きにより設けてあり、前記係止部は、突起である請求項６記載の回転台。
【請求項８】
着座者が座る座体と、該座体を支持する脚体と、前記座体及び脚体を相対回転自在に連結する回転台とを備え、該回転台は、操作レバーと、前記座体又は脚体の何れか一方に取り付けられ、前記操作レバーを揺動自在に枢支する第１部材と、他方に取り付けられるとともに、前記第１部材に相対回転自在に連結された第２部材と、該第２部材に前記相対回転の方向に沿って互いに離隔して設けられた複数の係合部と、前記操作レバーに設けられ、前記操作レバーの一方向への揺動により前記係合部を係止する係止部と、前記操作レバーを前記一方向へ付勢するスプリングとを備え、前記操作レバーを前記スプリングの付勢力に抗して揺動操作することによって前記係止部の前記係合部への係止を解除し、前記第１及び第２部材の相対回転を許容すべくなしてある椅子であって、前記操作レバーは、前記第１部材又は操作レバーの何れかに穿設された長孔を介して、その揺動軸を軸長方向と交叉する方向への移動自在に支持されていることを特徴とする椅子。
【請求項９】
前記長孔は、前記操作レバーの長手方向に沿って穿設されている請求項８記載の椅子。
【請求項１０】
前記係止部が前記係合部を係止している状態における前記軸長方向と交叉する方向への前記操作レバーの移動を拘束する拘束部を前記第１部材に設けてある請求項８又は９記載の椅子。
【請求項１１】
前記軸長方向と交叉する方向へ移動された前記操作レバーを、前記係止部の前記係合部への係止が解除された状態に保持する保持部を前記第１部材に設けてある請求項８乃至１０の何れかに記載の椅子。
【請求項１２】
前記操作レバーは、その中途部を前記第１部材に枢支されており、前記係止部をその一端部に備えている請求項８乃至１１の何れかに記載の椅子。
【請求項１３】
前記第２部材は、金属板を用いてなり、その周縁の近傍に前記第１部材の側とは反対側へ突出して成形され、その突出部に回転対象物又は固定面への取付孔を有する複数の取付座を備える請求項８乃至１２の何れかに記載の椅子。
【請求項１４】
前記係合部は、前記第２部材の周縁の前記取付座間に切欠きにより設けてあり、前記係止部は、突起である請求項１３記載の椅子。
【発明の詳細な説明】
【０００１】
【発明の属する技術分野】
本発明は、テレビ台，椅子等に組み込まれる回転台、及び該回転台により脚体に対して座体が回転可能とされた椅子に関する。
【０００２】
【従来の技術】
テレビ台，椅子等に組み込まれる回転台は、基本的には第１部材及び第２部材を連結部材により相対回転自在に連結することにより構成されている。第１及び第２部材は、コストを抑えるためにプレス加工によって成形された矩形又は円形の金属板からなり、例えばテレビ台の場合には、これらの部材の互いに離隔する面に合板等が固定されて使用される。一般的には、第１又は第２部材の何れか一方を下側にして棚等の上面に載置され、他方の上面にテレビが載置される。
【０００３】
上述の如くテレビ台として利用する場合には、第１及び第２部材は、ユーザの好みに合わせて比較的微妙な相対回転位置に止めて利用される。
【０００４】
これに対して、椅子に組み込まれて使用される場合には、第１又は第２部材の何れか一方が椅子の脚体側へ固定され、他方が背凭れ部を有する座体側へ固定され、これによって回転タイプの椅子を構成する。従って、脚体及び座体が固定された所謂、固定タイプに対して、例えば食卓テーブルに着く際に、座体を９０°回転させた状態で着座し、その後で座体を元の回転位置に戻すことにより、椅子全体を押し引きすることなく身体障害者であっても容易に着座することができるという利点がある。
【０００５】
但し、テレビ台としての利用とは異なり、椅子の場合には座体が脚体に対して常に自由に回転できる状態であると、着座しているユーザの上体が不安定となり、落ち着いて食事をすることができない。
【０００６】
そこで、このような回転タイプの椅子に利用される回転台には、第１及び第２部材の相対回転を拘束するロック機構が設けられている。このロック機構は、例えば、第１部材にその中途部を揺動自在に枢支された操作レバーと、該操作レバーの先端部に設けられた係止部と、第２部材の周縁部に沿って適宜の間隔で設けられた複数の係合部と、係止部が係合部の１つを係止する方向へ操作レバーを付勢するスプリングとから構成されており、ユーザが操作レバーを前記スプリングの付勢力に抗して操作している間だけ、第１及び第２部材の相対回転を許容し、それ以外の間はこれらの部材の相対回転をロックするようになっている。
【０００７】
【発明が解決しようとする課題】
ところが、以上の如きテレビ台として利用されるような従来の回転台においては、相対回転位置が一旦決められると同じ相対回転位置にて継続して使用されることが多く、椅子用の回転台の如きロック機構を備えることが望まれている。但し、前述した如き椅子用の回転台をテレビ台用に転用した場合には、ユーザは片手で操作レバーを操作し乍ら、もう一方の手でテレビ又は回転台のテレビ側の部材に固定されたテレビ台の部分を掴んで回転させる必要があり、微妙な操作が困難であった。
【０００８】
同様のことは椅子用の回転台についても言える。つまり、９０°回転させた状態で着座したユーザは、座体を元の回転位置に戻すべく操作レバーを操作するとともにこの状態を維持する必要がある。しかし、ユーザは座体を元の回転位置に戻すために、固定されている例えば食卓テーブル等に掴まることが多いため、片手で回転動作を行なうことは容易ではない。
【０００９】
本発明は斯かる事情に鑑みてなされたものであり、第１及び第２部材を相対回転自在に連結し、第１部材に係止部を有した操作レバーを揺動自在に枢支する一方、複数の係合部を相対回転方向に沿って互いに離隔して第２部材に設け、スプリングによって係止部が係合部を係止する方向へ操作レバーを付勢してある回転台であって、係止解除状態で、操作レバーをその長手方向へ移動自在に支持させることにより、操作レバーをその係止部が係合部から離脱した状態にて保持させることができ、これによって第１及び第２部材の相対回転の際に、ユーザの両手が自由になる回転台及びこれを備えた椅子を提供することを目的とする。
【００１１】
【課題を解決するための手段】
第１発明に係る回転台は、操作レバーと、該操作レバーを揺動自在に枢支する第１部材と、該第１部材に相対回転自在に連結された第２部材と、該第２部材に前記相対回転方向に沿って互いに離隔して設けられた複数の係合部と、前記操作レバーに設けられ、前記操作レバーの一方向への揺動により前記係合部を係止する係止部と、前記操作レバーを前記一方向へ付勢するスプリングとを備え、前記操作レバーを前記スプリングの付勢力に抗して揺動操作することによって前記係止部の前記係合部への係止を解除し、前記第１及び第２部材の相対回転を許容すべくなしてある回転台であって、前記操作レバーが、前記第１部材又は操作レバーの何れかに穿設された長孔を介して、その揺動軸を軸長方向と交叉する方向への移動自在に支持されていることを特徴とする。
【００１２】
第２発明に係る回転台は、第１発明の回転台において、前記長孔が、前記操作レバーの長手方向に沿って穿設されていることを特徴とする。
【００１３】
第３発明に係る回転台は、第１又は第２発明の回転台において、前記係止部が前記係合部を係止している状態における前記軸長方向と交叉する方向への前記操作レバーの移動を拘束する拘束部を前記第１部材に設けてあることを特徴とする。
【００１４】
第４発明に係る回転台は、第１〜第３発明の回転台において、前記軸長方向と交叉する方向へ移動された前記操作レバーを、前記係止部の前記係合部への係止が解除された状態に保持する保持部を前記第１部材に設けてあることを特徴とする。
【００１５】
第５発明に係る回転台は、第１〜第４発明の回転台において、前記操作レバーが、その中途部を前記第１部材に枢支されており、前記係止部をその一端部に備えていることを特徴とする。
【００１６】
第６発明に係る回転台は、第１〜第５発明の回転台において、前記第２部材が、金属板を用いてなり、その周縁の近傍に前記第１部材の側とは反対側へ突出して成形され、その突出部に回転対象物又は固定面への取付孔を有する複数の取付座を備えることを特徴とする。
【００１７】
第７発明に係る回転台は、第６発明の回転台において、前記係合部が、前記第２部材の周縁の前記取付座間に切欠きにより設けてあり、前記係止部が、突起であることを特徴とする。
【００１８】
第８発明に係る椅子は、着座者が座る座体と、該座体を支持する脚体と、前記座体及び脚体を相対回転自在に連結する回転台とを備え、該回転台が、操作レバーと、前記座体又は脚体の何れか一方に取り付けられ、前記操作レバーを揺動自在に枢支する第１部材と、他方に取り付けられるとともに、前記第１部材に相対回転自在に連結された第２部材と、該第２部材に前記相対回転の方向に沿って互いに離隔して設けられた複数の係合部と、前記操作レバーに設けられ、前記操作レバーの一方向への揺動により前記係合部を係止する係止部と、前記操作レバーを前記一方向へ付勢するスプリングとを備え、前記操作レバーを前記スプリングの付勢力に抗して揺動操作することによって前記係止部の前記係合部への係止を解除し、前記第１及び第２部材の相対回転を許容すべくなしてある椅子であって、前記操作レバーが、前記第１部材又は操作レバーの何れかに穿設された長孔を介して、その揺動軸を軸長方向と交叉する方向への移動自在に支持されていることを特徴とする。
【００１９】
第９発明に係る椅子は、第８発明の椅子において、前記長孔が、前記操作レバーの長手方向に沿って穿設されていることを特徴とする。
【００２０】
第１０発明に係る椅子は、第８又は第９発明の椅子において、前記係止部が前記係合部を係止している状態における前記軸長方向と交叉する方向への前記操作レバーの移動を拘束する拘束部を前記第１部材に設けてあることを特徴とする。
【００２１】
第１１発明に係る椅子は、第８〜第１０発明の椅子において、前記軸長方向と交叉する方向へ移動された前記操作レバーを、前記係止部の前記係合部への係止が解除された状態に保持する保持部を前記第１部材に設けてあることを特徴とする。
【００２２】
第１２発明に係る椅子は、第８〜第１１発明の椅子において、前記操作レバーが、その中途部を前記第１部材に枢支されており、前記係止部をその一端部に備えていることを特徴とする。
【００２３】
第１３発明に係る椅子は、第８〜第１２発明の椅子において、前記第２部材が、金属板を用いてなり、その周縁の近傍に前記第１部材の側とは反対側へ突出して成形され、その突出部に回転対象物又は固定面への取付孔を有する複数の取付座を備えることを特徴とする。
【００２４】
第１４発明に係る椅子は、第１３発明の椅子において、前記係合部が、前記第２部材の周縁の前記取付座間に切欠きにより設けてあり、前記係止部が、突起であることを特徴とする。
【００２６】
第１発明においては、操作レバーを揺動自在に枢支する第１部材と、第２部材とを相対回転自在に連結し、第２部材に相対回転方向に沿って互いに離隔して複数の係合部を設ける一方、操作レバーにその一方向への揺動により係合部を係止する係止部を設けるとともに、係止部が係合部を係止する方向へスプリングにより付勢し、操作レバーをスプリングの付勢力に抗して揺動操作することによって係止部の係合部への係止を解除し、第１及び第２部材の相対回転を許容すべくなしてある回転台にあって、第１部材又は操作レバーの何れかに長孔が穿設され、この長孔を介して操作レバーがその揺動軸を軸長方向と交叉する方向への移動自在に第１部材に指示される構成としたので、例えば、操作レバーをその係止部が係合部から離脱する領域まで移動させることにより、この離脱状態を保持させることができ、これによって第１及び第２部材の相対回転の際に、ユーザの両手が自由になる。なお、以上の２つの発明に係る回転台は、テレビ台，椅子等の用途に限定されない。
【００２７】
第８発明においては、着座者が座る座体と、該座体を支持する脚体とを備える椅子にあって、上述した如き回転台の第１部材を前記脚体又は座体の何れか一方に取り付け、第２部材を他方に取り付けることによって、前記座体及び脚体を相対回転自在に連結する構成としたので、例えば、操作レバーをその係止部が係合部から離脱する領域まで移動させることにより、この離脱状態を保持させることができ、これによって座体及び脚体の相対回転の際に、ユーザの両手が自由になる。
【００２８】
第２及び第９発明においては、上述した回転台又は該回転台を備える椅子の操作レバーを支持する長孔が、操作レバーの長手方向に沿って穿設されている構成としたので、操作レバーをその長手方向へ押し引きする際に、この押し引き方向に沿って操作レバーを無理なく移動させることができる。
【００２９】
第３及び第１０発明においては、係止部が係合部を係止している場合に、操作レバーが前記軸長方向と交叉する方向へ移動されるのを拘束部により拘束する構成としたので、第１及び第２部材、ひいては座体及び脚体が不用意に回転することがない。
【００３０】
第４及び第１１発明においては、第１部材に保持部を設け、この保持部により、前記軸長方向と交叉する方向へ移動された操作レバーを係止部の係合部への係止が解除された状態に保持する構成としたので、操作レバーをその係止部が係合部から離脱した揺動位置にて前記軸長方向と交叉する方向へ移動させるだけで、この離脱状態を維持することができるばかりでなく、操作レバーの逆方向の移動により容易に元の係止状態へ戻すことが可能となる。
【００３１】
第５及び第１２発明においては、操作レバーがその中途部を第１部材に枢支されており、係止部をその一端部に備えている構成としたので、その先端部に係止部を備えた従来構成の如き枢支態様の回転台又はこれを備える椅子に本発明を適用することが可能である。
【００３２】
第６及び第１３発明においては、第２部材が金属板を用いてなり、その周縁の近傍に第１部材の側とは反対側へ突出して成形され、その突出部に回転対象物又は固定面への取付孔を有する複数の取付座を備える構成としたので、第２部材の取付座、取付孔及び係合部を成形で簡易に形成することができ、回転台又はこれを備えた椅子を安価に提供することができる。また、第１部材とは反対側へ突出するように取付座を設けることにより、この取付座の上下近傍にて係止部の移動領域を大きくとることが可能となり、従って係止部と係合部との係合域を長くすることができるので、操作レバーが所要の操作量だけ操作されない場合に座体が不用意に回転するのを良好に防止することができ、さらに、第２部材を第１部材に邪魔されることなく取り付けることができる。
【００３３】
第７及び第１４発明においては、係合部を第２部材の周縁の前記取付座間に切欠きにより設けてあり、係止部を突起としてある構成としたので、係合部を切欠きにより成形することができる一方、係止部を突起状の部材を溶接等の結合方法を用いて操作レバーに設けることができ、回転台又はこれを備えた椅子を安価に提供することができる。
【００３４】
【発明の実施の形態】
以下本発明をその実施の形態を示す図面に基づき具体的に説明する。
図１は本発明に係る回転台を示す縦断面図、図２は図１に示した回転台の底面図、図３は図１に示した回転台を示す平面図、図４は図１に示した回転台を示す正面図、図５は図３のＸ−Ｘ線の拡大断面図、図６は本発明に係る回転台を備えた椅子全体の斜視図である。
【００３５】
本発明に係る回転台３は、金属板を用いてなる平面視略四角形の第１部材３２及び第２部材３１を備えている。第１及び第２部材３２，３１は、その中央部に貫通孔３２ａ，３１ａが、また、周縁部及び中間部に環状凹部３２ｂ，３１ｂが夫々設けてあり、これら環状凹部３２ｂ，３１ｂ間にボール等を用いてなる複数の転動体３３，３３，…を介在させることによって、図において上側に配置された第１部材３２の回転性を高めている。
【００３６】
なお、本実施の形態においては、第１部材３２を上側（回転側）、第２部材３１を下側（固定側）と夫々してあるが、本発明においては上下逆の配置としても構わない。
【００３７】
貫通孔３２ａ，３１ａには、一端に鍔部を有する軸体３４を第１部材３２の側から挿通してその他端部に座板３５及び転動体押え３６を挿通支持し、これら座板３５及び転動体押え３６の間に複数の転動体３７を介装して軸体３４の他端を加締めることにより第１及び第２部材３２，３１を結合するとともに、軸体３４による第１部材３２の回転性の低下を防止し、第１部材３２の回転性をより一層高めることができるようにしてある。
【００３８】
第１及び第２部材３２，３１の周縁部は、その対向間隔を中心側の対向間隔よりも広くされている。また、第１及び第２部材３２，３１の四つ角部には、取付孔３２ｃ，３１ｃが夫々設けられ、これら取付孔３２ｃ，３１ｃに挿通される取付ねじ３９，３９（図５参照）により、第１部材３２は例えば椅子の座部２１に、また、第２部材３１は例えば椅子の脚体を構成する脚取付部１２に着脱可能に取り付けられるようにしてある。また、第２部材３１の角部には、第１部材３２とは反対側へ突出する取付座３１ｅ，３１ｅ，…を成形してあり、前述した取付孔３１ｃは各取付座３１ｅの突出部に形成されている。
【００３９】
第２部材３１の周縁の四辺には凹状の係合部４０，４０，…が切欠きにより約９０°の位相差で設けてある。
【００４０】
一方、第１部材３２の一辺には、略Ｕ字形断面のレバー支持片３２ｄが突設してあり、該レバー支持片３２ｄの対向する側壁間には、一端部にその上方に位置する係合部４０への係止／離脱が可能な突起状の係止部４１を有する操作レバー４２が、その中間部を第１部材３２の回転方向に沿って延びるレバー軸４３を介して第１部材３２の厚み方向へ揺動自在に取り付けられている。さらに、操作レバー４２を係止部４１が係合部４０を常時係止する方向へ付勢する線ばねを用いてなるスプリング４４が設けられている。
【００４１】
また、レバー支持片３２ｄの基端部にはレバー拘束片３８が設けられている。レバー拘束片３８は、略Ｕ字形断面をなし、操作レバー４２を架け渡してその両先端部たる固定部３８ｂ，３８ｂを第１部材３２に穿設された取付孔に挿通され、対向側へ折り曲げて第１部材３２に固定されている。
【００４２】
操作レバー４２は、レバー支持片３２ｄと対応するように略Ｕ字形断面に形成されており、一端部に係止部４１を有するレバー本体４２ａと、該レバー本体４２ａの他端部に連結されている操作部４２ｂとを備えている。操作レバー４２は、レバー本体４２ａの前記他端部の近くでレバー軸４３に取り付けられており、係止部４１側の部分を第１及び第２部材３２，３１の外周部における対向領域内で動作させることができるようにしてある。
【００４３】
また、操作レバー４２は、その長手方向に沿ったレバー拘束片３８の略Ｕ字形断面の中央部である揺動拘束部３８ｃに対応する部分においては、略Ｕ字形断面の対向する側壁を適長に亘って欠落された切欠き部４２ｅ，４２ｅを備えている。このような構成により、操作レバー４２は、レバー拘束片３８の略Ｕ字形断面の対向する側壁である側方拘束部３８ａ，３８ａによって案内され乍ら、妨げられることなくその揺動動作を行なうことができるようになっている。
【００４４】
なお、図１において、４５は第１及び第２部材３２，３１の間の隙間を閉塞する合成樹脂製の閉塞リングである。
【００４５】
本発明に係る回転台３は、図６に示す如く、平面視で四つ角に配置される４本の脚部１１，１１，…及びこれらの上端を連結する平面視で四角形の脚取付部１２を備えた脚体１と、脚取付部１２と対向する平面視で四角形の座部２１及びこれの一辺から上方へ向けて延びる背凭れ部２２を有する座体２とを備える椅子の前記脚体１及び座体２の間に介在され、座体２を脚体１に対して回転自在に支持している。なお、本実施の形態においては、本発明に係る回転台３を椅子用として説明しているが、テレビ台等の他の用途への適用も可能であることは云うまでもない。
【００４６】
以上の如く構成された椅子は、第１部材３２の取付孔３２ｃに挿通される取付ねじ３９と、第２部材３１の取付孔３１ｃに挿通される取付ねじ３９とにより回転台３が座体２及び脚体１に取り付けられる。この場合、取付孔３１ｃは、第１部材３２とは反対側へ突出する取付座３１ｅに設けてあるので、取付ねじ３９の頭部を取付座３１ｅの内側凹部に配置することができ、第２部材３１を第１部材３２に邪魔されることなく脚体１に取り付けることが可能である。また、操作レバー４２は、スプリング４４により第１部材３２の方向へ付勢され、係止部４１が係合部４０を常時係止しているため、座体２の回転は確実に阻止されている。
【００４７】
従って、食卓用の椅子として使用する場合、背凭れ部２２が食卓と対向する正常な状態に対して背凭れ部２２が食卓と交差するように配置することにより座体２にユーザが着座し、操作レバー４２の操作部４２ｂを把持して押し下げ操作することにより、操作レバー４２が揺動し、係止部４１の係合部４０への係止が解除されて、座体２が回転可能となる。つまり、着座した状態で操作レバー４２を操作して身体を９０°動かせるだけで操作レバー４２が設けられている座体２が回転し、膝を食卓の下側域に入れて食事の姿勢にすることができる。この状態で操作レバー４２を放すことにより、該操作レバー４２がスプリング４４の力により揺動して係止部４１が、位相が９０°異なる係合部４０を係止することになり、座体２の回転が阻止される。従って、座体２が固定された状態で落ち着いた気分で食事をすることができる。
【００４８】
一方、食事が終わって退座する場合、操作レバー４２の操作部４２ｂを把持して押し下げ操作することにより、操作レバー４２が揺動し、係止部４１の係合部４０への係止が解除されて、座体２が回転可能となる。つまり、着座した状態で操作レバー４２を操作して身体を９０°動かせるだけで座体２が回転し、膝を食卓の下側域から外部に出して退座の姿勢にすることができる。この状態で操作レバー４２を放すことにより、操作レバー４２がスプリング４４の力により揺動し、係止部４１が位相の９０°異なる別の係合部４０を係止することになり、座体２の回転が阻止される。従って、座体２が固定された状態で安心して退座することができる。
【００４９】
また、係合部４０が設けられている第２部材３１には、第１部材３２とは反対側へ突出する取付座３１ｅが設けてあるので、係止部４１と係合部４０との係合域をより長くすることができ、操作レバー４２が所要の操作量だけ操作されない場合に座体２が不用意に回転するのを良好に防止することができる。また、第２部材３１は、環状凹部３１ｂ，取付孔３１ｃ，取付座３１ｅ及び係合部４０を成形で簡易に形成することができるので、回転台３、ひいては椅子全体を安価に提供することができる。
【００５０】
図７は本発明に係る回転台の操作レバーがその揺動を拘束された状態を示す縦断面図、図８は図７に示した回転台の底面図、図９は図７に示した回転台を示す平面図である。
【００５１】
また、本発明に係る回転台３においては、図１に示した如く、操作レバー４２を枢支するレバー軸４３が、操作レバー４２の長手方向に沿った長孔４２ｃによって第１部材３２に支持されている。また、切欠き部４２ｅ，４２ｅ及び係止部４１の間の操作レバー４２の略Ｕ字形断面の対向する側壁は、押え部４２ｄ，４２ｄとして構成されている。
【００５２】
このような構成により、ユーザが前述した如くに操作レバー４２を押し下げ操作し、係止部４１の係合部４０への係止を解除した状態で、図７〜図９に示す如く、前記長孔４２ｃの長さ範囲内で操作レバー４２をその長手方向へ引き操作することができるようになっている。この引き操作によって、操作レバー４２の押え部４２ｄ，４２ｄはレバー拘束片３８の揺動拘束部３８ｃの領域に進入し、操作レバー４２の押し上げ方向への揺動、即ち係止部４１が係合部４０を係止する方向への揺動は、拘束された状態を維持される。従って、第１及び第２部材３２，３１は常に自由に回転することができるので、ユーザが操作レバー４２から手を離した状態であっても、脚体１及び座体２を自由に回転させることが可能となる。
【００５３】
なお、このような自由な回転の状態を解除は、操作レバー４２を押し操作することによって元の揺動位置に戻すことによってなされる。また、操作レバー４２は、押し下げ操作されていない状態にあっては、その切欠き部４２ｅ，４２ｅにレバー拘束片３８の揺動拘束部３８ｃが填まり込んでおり、押え部４２ｄ，４２ｄが揺動拘束部３８ｃに当接しているために、引き操作を拘束されている。これによって、押し下げ操作することなく不用意に操作レバー４２が引かれ、係止部４１の係合部４０への係止状態が解除されないようになっている。
【００５４】
また、本実施の形態においては、操作レバー４２に付勢力を付与しているスプリング４４は、レバー軸４３を介して第１部材３２及び操作レバー４２に架け渡されている。このスプリング４４の操作レバー４２に当接する部分は、操作レバー４２の幅方向へ沿って配置され、ローラ４４ａが填め込まれている。このローラ４４ａによって、前述した如き操作レバー４２の長手方向への操作の際に、操作レバー４２及びスプリング４４の摺動音が低減されるようになっている。
【００５６】
【発明の効果】
以上のように本発明に係る回転台及びこれを備えた椅子においては、操作レバーを揺動自在に枢支する第１部材と、第２部材とを相対回転自在に連結し、第２部材に相対回転方向に沿って互いに離隔して複数の係合部を設ける一方、操作レバーにその一方向への揺動により係合部を係止する係止部を設けるとともに、係止部が係合部を係止する方向へスプリングにより付勢し、操作レバーをスプリングの付勢力に抗して揺動操作することによって係止部の係合部への係止を解除し、第１及び第２部材の相対回転を許容すべくなしてある回転台にあって、第１部材又は操作レバーの何れかに長孔が穿設され、この長孔を介して操作レバーがその揺動軸を軸長方向と交叉する方向への移動自在に第１部材に支持される構成としたので、例えば、操作レバーをその係止部が係合部から離脱する領域まで移動させることにより、この離脱状態を保持させることができ、これによって第１及び第２部材の相対回転の際に、ユーザの両手が自由になる。
【００５７】
また、着座者が座る座体と、該座体を支持する脚体とを備える椅子にあって、上述した如き回転台の第１部材を前記脚体又は座体の何れか一方に取り付け、第２部材を他方に取り付けることによって、前記座体及び脚体を相対回転自在に連結する構成としたので、例えば、操作レバーをその係止部が係合部から離脱する領域まで移動させることにより、この離脱状態を保持させることができ、これによって座体及び脚体の相対回転の際に、ユーザの両手が自由になる。
【００５８】
また、上述した回転台又は該回転台を備える椅子の操作レバーを支持する長孔が、操作レバーの長手方向に沿って穿設されている構成としたので、操作レバーをその長手方向へ押し引きする際に、この押し引き方向に沿って操作レバーを無理なく移動させることができる。
【００５９】
また、係止部が係合部を係止している場合に、操作レバーが前記軸長方向と交叉する方向へ移動されるのを拘束部により拘束する構成としたので、第１及び第２部材、ひいては座体及び脚体が不用意に回転することがない。
【００６０】
また、第１部材に保持部を設け、この保持部により、前記軸長方向と交叉する方向へ移動された操作レバーを係止部の係合部への係止が解除された状態に保持する構成としたので、操作レバーをその係止部が係合部から離脱した揺動位置にて前記軸長方向と交叉する方向へ移動させるだけで、この離脱状態を維持することができるばかりでなく、操作レバーの逆方向の移動により容易に元の係止状態へ戻すことが可能となる。
【００６１】
また、操作レバーがその中途部を第１部材に枢支されており、係止部をその一端部に備えている構成としたので、その先端部に係止部を備えた従来構成の如き枢支態様の回転台又はこれを備える椅子に本発明を適用することが可能である。
【００６２】
また、第２部材が金属板を用いてなり、その周縁の近傍に第１部材の側とは反対側へ突出して成形され、その突出部に回転対象物又は固定面への取付孔を有する複数の取付座を備える構成としたので、第２部材の取付座、取付孔及び係合部を成形で簡易に形成することができ、回転台又はこれを備えた椅子を安価に提供することができる。また、第１部材とは反対側へ突出するように取付座を設けることにより、この取付座の上下近傍にて係止部の移動領域を大きくとることが可能となり、従って係止部と係合部との係合域を長くすることができるので、操作レバーが所要の操作量だけ操作されない場合に座体が不用意に回転するのを良好に防止することができ、さらに、第２部材を第１部材に邪魔されることなく取り付けることができる。
【００６３】
さらに、係合部を第２部材の周縁の前記取付座間に切欠きにより設けてあり、係止部を突起としてある構成としたので、係合部を切欠きにより成形することができる一方、係止部を突起状の部材を溶接等の結合方法を用いて操作レバーに設けることができ、回転台又はこれを備えた椅子を安価に提供することができる等、本発明は優れた効果を奏する。
【図面の簡単な説明】
【図１】本発明に係る回転台を示す縦断面図である。
【図２】図１に示した回転台の底面図である。
【図３】図１に示した回転台を示す平面図である。
【図４】図１に示した回転台を示す正面図である。
【図５】図３のＸ−Ｘ線の拡大断面図である。
【図６】本発明に係る回転台を備えた椅子全体の斜視図である。
【図７】本発明に係る回転台の操作レバーがその揺動を拘束された状態を示す縦断面図である。
【図８】図７に示した回転台の底面図である。
【図９】図７に示した回転台を示す平面図である。
【符号の説明】
１        脚体
２        座体
３        回転台
３１        第２部材
３１ｅ    取付座
３２        第１部材
３３        転動体
３４        軸体
３８        レバー拘束片
４０        係合部
４１        係止部
４２        操作レバー
４２ｃ    長孔
４３        レバー軸
４４        スプリング
【図１】
0003569475.tif 000002
【図２】
0003569475.tif 000003
【図３】
0003569475.tif 000004
【図４】
0003569475.tif 000005
【図５】
0003569475.tif 000006
【図６】
0003569475.tif 000007
【図７】
0003569475.tif 000008
【図８】
0003569475.tif 000009
【図９】
0003569475.tif 000010